(57)【要約】【課題】  プリーツを形成したカーテン用生地又はスクリーン用生地の提供。【解決手段】  表生地１に裏生地２を貼り合せた構造とし、上記表生地１には複数の膨出部３，３・・・を形成してプリーツとし、該表生地１には上記プリーツ３，３・・・が形成される領域を除いて裏生地２を貼り合せている。【選択図】    図１
2016067601.tif 000002
【特許請求の範囲】
【請求項１】
カーテン用生地又はスクリーン用生地において、表生地に裏生地を貼り合せた２重構造とし、上記表生地には該表生地の一部を折り曲げたり又は湾曲して膨出部を複数箇所に形成してプリーツとし、該表生地には上記プリーツが形成される領域を除いて裏生地を貼り合せたことを特徴とするプリーツを形成したカーテン及びスクリーン用生地。
【請求項２】
上記プリーツを同じ大きさとして等間隔で形成した請求項１記載のプリーツを形成したカーテン及びスクリーン用生地。
【請求項３】
上記プリーツの大きさを違わせて配列した請求項１記載のプリーツを形成したカーテン及びスクリーン用生地。
【発明の詳細な説明】
【技術分野】
【０００１】
本発明はプリーツを形成したカーテン生地及びスクリーン生地に関するものである。
【背景技術】
【０００２】
プリーツカーテンは、平織、ジャガード織、レース生地など、多様な方法で織成した生地を織成後にジグザグ状を成している型紙に挟み込み、これを釜に入れて蒸気加熱するならば、所定のプリーツ加工が出来上がる。
すなわち、プリーツ形状が記憶され、いつまでも崩れることなくプリーツカーテンの優雅さを保持することが出来る。勿論、蒸気で加熱処理する以外に加熱状態でプレスすることでプリーツ加工することも可能である。
【０００３】
プリーツカーテンに関する文献は数多く知られている。例えば、特開２００５−５２２４１号に係る「カーテンとタッセル」は、カーテン生地やタッセル生地が有効に利用できて、しかも縫製が容易で、装飾効果の高いカーテンである。
また、特開２０１３−１９０８０号に係る「プリーツが形成された布帛及びその製造方法」は、ハンドプリーツ加工に最適な剛性を有し、１枚の型紙を用いてハンドプリーツ加工を行えるので複雑なデザインを容易に形成でき、さらに形態維持性に優れるプリーツが形成された積層粗目布帛とその製造方法である。
第１の粗目布帛と第２の粗目布帛との間にシート状の熱融着性合成樹脂を挿入し、加熱加圧することで積層粗目布帛を作成する。次に、積層粗目布帛を１枚の型紙と共に折り曲げ加工することによりプリーツを付与する。
【０００４】
しかし、カーテンに形成されるプリーツは永久的なものではなく、長い期間にわたって該カーテンを吊設するならばプリーツの形状が崩れることが多い。そして、該プリーツを加工するには型紙に挟み込んで釜に入れ、蒸気加熱することが必要となり、その為にプリーツ加工工数は高くなる。勿論、加熱用の釜も必要となるなど、プリーツ加工にはそれなりのコストがかかることになる。
【０００５】
特開２０１０−１９６４２３号に係る「幕体およびこれを用いたカーテン又はプリーツスクリーン装置」の場合、幕体はそれぞれ同数の形状記憶されたプリーツを備えた表生地と裏生地とが、当該プリーツの各谷折り部において互いに重合され、当該重合部において互いに接着されてなる。表生地と裏生地のプリーツの山折り部は、互いに同一方向に屈曲しており、表生地の山折り部の生地幅が裏生地の山折り部の生地幅より大きく設定され、それによって展開時に、表生地の山折り部と裏生地の山折り部との間に空間が形成されることで裏生地が表生地のプリーツピッチの保持機能を有する。
【０００６】
ところで、上記特開２０１０−１９６４２３号に係る幕体は、表生地と裏生地を有し、各生地にプリーツ加工をしなくてはならず、その為に型紙も表生地用と裏生地用の２種類が必要と成り、加工工数はさらに高くなる。しかも、加工したプリーツは長期間経過するならば、その形状は崩れてしまうといった問題は同じように発生する。
【特許文献１】特開２００５−５２２４１号に係る「カーテンとタッセル」
【特許文献２】特開２０１３−１９０８０号に係る「プリーツが形成された布帛及びその製造方法」
【特許文献３】特開２０１０−１９６４２３号に係る「幕体およびこれを用いたカーテン又はプリーツスクリーン装置」
【発明の開示】
【発明が解決しようとする課題】
【０００７】
このように、従来のプリーツカーテン、又はプリーツスクリーンには上記のごとき問題がある。本発明が解決しようとする課題はこの問題点であり、プリーツ期間が経過してもプリーツの形状が崩れることなく、しかも低コストで簡単に製作することが出来るプリーツカーテン用生地及びプリーツスクリーン用生地を提供する。
【課題を解決するための手段】
【０００８】
本発明に係るプリーツカーテン生地は、表生地と裏生地の２枚を貼り合わせて構成している。そして、表生地には複数の膨出部を所定の間隔をおいて形成しており、その為に裏生地とは膨出部を除いた領域が重なり合って接着剤により貼り合わされている。したがって、膨出部は裏生地に貼り合わされることなく、フリーな状態となってプリーツとして機能する。
ここで、上記膨出部は表生地の一部を折り曲げ又は湾曲することで形成し、別に作成した生地を縫い付けるものではない。
【０００９】
ところで、カーテンの場合には上記プリーツと成る膨出部は上下方向に延びて形成され、一方のスクリーンの場合には上記プリーツは水平方向に延びて形成される。ここで、膨出部の具体的な形状は特に限定せず、例えば膨出部を平板状として形成することで表生地から延ばし、又は滑らかに湾曲した形状として表生地から突出こともある。そして、表生地に形成される上記膨出部の間隔は一定の場合に限らず、膨出部の大きさも一定に限らない。
【発明の効果】
【００１０】
本発明のプリーツカーテン生地は、表生地と裏生地を貼り合せたもので、表生地には複数の膨出部を形成し、この膨出部がプリーツとして機能することが出来る。膨出部を形成した表生地を裏生地と貼り合せることで、膨出部が形成される領域は裏生地に貼着されることなくフリーとなり、その為に該膨出部はプリーツと成って優雅なカーテン及びスクリーンを構成することが出来る。
【００１１】
また、膨出部を形成した表生地を裏生地に貼り合せることで、何ら縫製をすることなくプリーツ付きカーテン生地及びプリーツ付きスクリーン生地を簡単に製作出来、製作コストは安くなる。しかも、プリーツが形成される領域を除いて表生地は裏生地と貼着される為にプリーツとなる膨出部の形崩れはなく、長期間にわたってプリーツの形状が保たれる。
【図面の簡単な説明】
【００１２】
【図１】本発明に係るカーテン生地を示す実施例で、（ａ）は平面図、（ａ）は断面図。
【図２】図１における膨出部の断面拡大図。
【図３】円弧状をした膨出部を有すカーテン生地。
【図４】大きさの違う膨出部を形成したカーテン生地の実施例。
【発明を実施するための形態】
【００１３】
図１は本発明に係るカーテン生地を示す実施例であり、（ａ）は平面図、（ｂ）は断面図を表し、同図の１は表生地、２は裏生地をそれぞれ示している。表生地１には該表生地１の一部を折り曲げて膨出部３，３・・・が一定間隔をおいて形成され、この膨出部３，３・・・を形成した表生地１の下面には上記裏生地２が貼り合わされている。複数の膨出部３，３・・・を形成することで、該膨出部３，３・・・は裏生地２に貼着することなくフリーな状態と成っている。
【００１４】
したがって、膨出部３として立ち上がる領域Ｍ、Ｍ・・・を除いた領域Ｌ，Ｌ・・・が貼着している。ここで、上記膨出部３は図２に拡大図を示しているように、表片４と裏片５が互いに重合し、該膨出部３の先端６は折目を有して尖っている。前記図１に示すカーテン生地において、表面側に複数の膨出部３，３・・・が設けられ、これら膨出部３，３・・・はプリーツとして機能する。図２に示すように、膨出部３は表生地１の一部を折り曲げて表片４及び裏片５を連続して形成される。
【００１５】
ここで、図１、図２に示す膨出部３であるプリーツは表片４と裏片５が互いに重合し、その先端６は尖っているが滑らかに湾曲した形状とする場合もある。図３に示す膨出部７は滑らかに湾曲して概略円弧状を成し、表生地１の一部が表面に膨出している。この膨出部７はプリーツとして複数形成され、カーテン生地の優雅さを向上することが出来る。
【００１６】
そして、これら膨出部３，３・・・は一般には一定間隔で形成されるが、等間隔に限るものではない。そして、膨出部の形状並びに大きさを全て同一とすることなく、異なる大きさの膨出部を配列して形成することもある。
図４はプリーツと成る膨出部の大きさを違わせて配列したカーテン生地の実施例である。
【００１７】
基本的な構造は前記図１に示したカーテン生地と共通しているが、表生地１には大きさの異なる膨出部３ａ，３ｂ，３ｃが１組と成って複数組が形成されており、膨出部３ａの長さは最も短く、膨出部３ｃの長さは最も大きく成っている。膨出部３ｂの長さは膨出部３ａと膨出部３ｃの中間長さとしている。そして、１組となる膨出部３ａ，３ｂ，３ｃは等間隔で形成され、隣り合う他の１組となる膨出部３ａ，３ｂ，３ｃとの間の間隔は大きく成っている。
【００１８】
ところで、本発明のカーテン生地は所定のサイズに裁断され、上下及び両側を縫製し、上端に取付けた吊金具を介して上レールに吊設することが出来る。カーテン生地に形成した上記膨出部はプリーツとして機能し、該カーテンの優雅さを演出することが出来る。そして、該プリーツは表生地に形成され、該表生地には裏生地が貼り合わされることで、プリーツの形状は崩れにくい。
【００１９】
同じく、スクリーンとして用いる場合には、同じく所定のサイズに裁断すると共に周囲を縫製し、膨出部となるプリーツを水平になるように配置して吊設する。このスクリーンの場合も、貼り合せた裏生地によって表生地は固定されることでプリーツの形状は崩れにくい。
【符号の説明】
【００２０】
１   表生地
２   裏生地
３   膨出部
４   表片
５   裏片
６   先端
７   膨出部
【図１】
2016067601.tif 000003
【図２】
2016067601.tif 000004
【図３】
2016067601.tif 000005
【図４】
2016067601.tif 000006